(57)【要約】      （修正有）【課題】サイズも多様で、厚手のものも多いズボン等を、早く乾かすことができ、簡単に着脱することができてなお且つ、風などで簡単に脱落しないハンガーを提供する。【解決手段】ハンガーの下方バー３の部分に折り畳み式の、伸縮自在の輪６を持つことを特徴とするハンガーで、ズボン等のウエストから衣類の中に入れ、輪６を開くことでズボン等を筒状に広げ、風通しを良くし早く乾かすことができる。また輪が伸縮部分７を持つことで、衣類の大きさや形状に合わせて広げることができ、広がる力によりしっかりズボン等を固定することができるようにしてハンガーを構成する。【選択図】図１
0003157199.tif 000002
【実用新案登録請求の範囲】
【請求項１】
ハンガー本体の下方のバーに、バーを中心軸として回転可能な輪がついていて、ハンガーをかけている状態の時バーに対して輪が水平になることができ、又輪をハンガー本体と重ねて収納できる構造を持つハンガー。
【請求項２】
ハンガー本体にストッパーをつけることで、輪をハンガー本体に固定でき、輪を折り畳んで収納できる請求項１に記載のハンガー。
【請求項３】
輪に伸縮部分を持つ請求項１、又は請求項２に記載のハンガー。
【請求項４】
輪に伸縮部分を持ち、伸縮部分がジャバラの形態を持つ請求項１、又は請求項２、に記載のハンガー。
【考案の詳細な説明】
【技術分野】
【０００１】本考案は、ズボン、スカート等を洗濯した時、簡単に衣類を広げて乾きを早くするハンガーに関するものである。
【背景技術】
【０００２】従来のハンガーで、上着以外の、ズボンやスカートを、洗濯した後干す場合は、ウエスト部分をハンガーのアームにひっかけ、ピンチ等で固定するか、ハンガーの下のバーの部分に二つ折りにかける方法でした。いずれもズボン等の筒状の内部部分に風が通りにくいために、乾きが遅かった。また、風通しを良くし衣類の間に隙間を作るハンガーとしては、特許文献１に記載のように、ハンガー本体の中央部に、本体のアーム部材にほぼ水平方向に回転させることのできる別のアーム部材で構成されるハンガーで、アームを回転させることで、ズボンやスカート等の洗濯ものを広げて干すことができるハンガーや、特許文献２に記載のように、ハンガー本体の中央部から横方向に放射線状にのびたアームの先にベルト通しを挿入して干すハンガーや、特許文献３に記載のように、複数個のピンチ吊りを利用するハンガーや、非特許文献１記載のように、ハンガー本体の中央部分に水平方向に対して回転自在に連設された長さの違う２本の拡開部材で構成されたハンガーや、非特許文献２に記載のように、ハンガー本体に開閉式の両枠をつけて、その両枠を開いてズボンや、スカートのウエスト部分をひっかけて干すハンガーが提案されている。
【先行技術文献】
【０００３】
【特許文献１】特許２００５−３４５７９
【特許文献２】特許２００７−１３５７１３
【特許文献３】特許２０００−１４９９３
【非特許文献】
【０００４】
【非特許文献１】実用新案５−１４９６
【非特許文献２】登録実用新案第３０３４３６２号
【考案の概要】
【考案が解決しようとする課題】
【０００５】従来のハンガーでは、ズボンやスカート等を干した時、布地がくっついて風通しが、良くなく、とくに、厚手のものや、冬場等は、乾きづらかった。また、上記特許文献１，又は２，又は３、非特許文献１，又は２は、ズボン等の風通しを良くし、洗濯したズボン等を早く乾かすことには、有効であるが、特許文献１は、ズボンやスカートのサイズによっては、ピンチ等を使わなければ衣類を安定して保てない。特許文献２は、ベルト通しのある衣類に限られる。また普通のハンガーとしては使えない。特許文献３は、備え付けのピンチを使う煩わしさがある。非特許文献１は、ズボン等をとめる箇所が４箇所だけであり、サイズによっては、不安定である。非特許文献２は、ズボンやスカートのサイズによっては、ピンチ等をつかわなくてはならない。また、普通のハンガーとしては使えない。それぞれその使用に際して、制限や、ピンチ等を使わなくてはならない煩わしさと、サイズによっては、使い方を工夫しなければならない煩わしさがあった。
【課題を解決するための手段】
【０００６】本考案は、この問題点を解決する為に、ハンガー本体の下方のバーに伸縮自在な部分を持つ輪を、バーの中心と輪の中心が重なるように、バーの中心に対して対称となるような２点でバーと輪を連結させる。この時バー自体が輪の中心軸となって輪がバーに対して回転できるように連結する構造にすることで、ハンガーをかけた時、輪がバーに対して水平な状態になる。また輪はハンガー本体に対して重なるようにもなるので、輪を折り畳んで収納することができる。
【考案の効果】
【０００７】本考案のハンガーにおいて、ズボン等のウエスト部分からハンガーの輪を中に入れて、腹部の部分で輪を広げることで、ズボン等に筒状の広がりができ風通しを良くして干すことができる。また、輪が伸縮部分を持つ事により伸縮するので、ズボン等の大きさに合わせてジャストフィットでき、輪が楕円形に広がる力で、ズボン等をしっかりおさえることができる。伸縮部分を縮め、折り畳むことで、簡単に衣類の着脱が可能であり、輪を折り畳んだ状態で、普通のハンガーとしても使うことができる。
【図面の簡単な説明】
【０００８】
【図１】正面図  輪を折り畳んだ状態
【図２】側面図  輪を折り畳んだ状態
【図３】側面図  輪を開いた状態
【図４】上方図  輪を縮めた状態で開いた状態
【図５】上方図  輪を広げた状態で開いた状態
【図６】ジャバラ部分拡大図
【図７】使用例１
【図８】使用例２（サイズの小さい物）
【考案を実施するための形態】
【０００９】以下、実地例は、添付図面を参照して説明する。尚、図７、図８は、本考案の使用例である。まずハンガーの輪を閉じた状態（図１）で、ズボン等のウエスト部分から中に差し入れ腹部のあたりで輪をストッパー（図１の４）からはずしてバーに対し水平に開き（図３および図４）、ズボン等の大きさにあわせて、輪をひっぱりながら伸縮部分（図１の６）を広げて（図５）衣類を固定させて、竿等にかけて干す（図７）。伸縮部分がジャバラの形態（図６）であれば、ズボン等のサイズに合わせることがより容易にできる。ズボン等のウエストがハンガーのアーム部分に入らない程小さいものは、輪の部分だけにズボン等に入れて干す（図８）こともできる。ハンガーの輪は、備え付けのストッパー（図１の４）で畳んだ状態を保つ事ができ収納の邪魔にならない。また輪を折り畳んだ状態で普通のハンガーとしても使用できる。
【産業上の利用可能性】
【００１０】冬場や梅雨時、日照時間の少ない地域、また部屋干し等に利用すれば、乾きの遅いズボン等を、場所を取らずに早く乾かせるので便利である。
【符号の説明】
【００１１】１  ハンガーのフック
２  ハンガーのアーム
３  ハンガーのバー
４  ストッパー
５  輪
６  輪の伸縮部分のジャバラ
７  輪とバーの連結具
８  ズボン
【図１】
0003157199.tif 000003
【図２】
0003157199.tif 000004
【図３】
0003157199.tif 000005
【図４】
0003157199.tif 000006
【図５】
0003157199.tif 000007
【図６】
0003157199.tif 000008
【図７】
0003157199.tif 000009
【図８】
0003157199.tif 000010